(57)【特許請求の範囲】
【請求項１】
ワークを加熱するため、断熱材によって囲まれた状態で外部空間から遮蔽された閉空間を形成している加熱炉と、
該加熱炉内に設けられてワークを加熱するヒータと、
前記加熱炉内でワークを支持する支持体と、
前記支持体を保持して前記加熱炉の壁に固定する台座と、
を備える加熱装置であって、
前記台座は、重力方向に直交する平面内で、加熱炉の壁に対する固定位置と前記支持体を保持する位置とが互いに離間されており、その離間に伴う変形応力を受ける部位に前記台座の変形に対する強度を高める補強部材を備えており、
前記補強部材は、前記台座において前記支持体を保持して支持する支持面の面剛性を高める構成であり、
前記支持体は、前記加熱炉内で水平方向に２本並べて、且つ互いに離間して設けられた棒状体であり、
前記台座は、前記２本の棒状体の各一端部又は各他端部を一つの連続した支持面で各端部をそれぞれ重力方向の下側から支持している水平方向に沿って平らな平板部と、該平板部において前記２本の棒状体に挟まれた部位を重力方向の下側で前記加熱炉の壁に固定している柱形状の柱状部とを備えて成り、
前記補強部材は、前記平板部における前記柱状部を挟む両側位置で前記２本の棒状体が対向する方向に沿って連続した状態で、前記平板部から重力方向に突出した一対のリブである加熱装置。
【請求項２】
請求項１において、
前記リブは、前記平板部において重力方向の下側に突出している加熱装置。
【請求項３】
請求項１〜２のいずれかにおいて、
前記支持体は、前記加熱炉内で水平方向に２本並べて、且つ互いに離間して設けられた棒状体であり、
前記台座は、前記２本の棒状体の各一端部又は各他端部を一つの連続した支持面で各端部をそれぞれ重力方向の下側から支持している水平方向に沿って平らな平板部と、該平板部において前記２本の棒状体に挟まれた部位を重力方向の下側で前記加熱炉の壁に固定している柱形状の柱状部とを備えて成り、
前記台座の平板部上で、前記２本の棒状体の各端部を支持する位置と、前記柱状部の位置とは、前記２本の棒状体の長手方向で互いに離間して配置されており、
前記各平板部における前記２本の棒状体の各端部に対応する位置で重力方向の下側に前記加熱炉の壁に当接した支柱が設けられている加熱装置。
【請求項４】
請求項３において、
前記支柱は、前記台座よりも耐熱性の高い材料にて形成されている加熱装置。
【発明の詳細な説明】
【技術分野】
【０００１】
本発明は、熱間プレス工法にて使用される加熱装置に関する。
【背景技術】
【０００２】
車両等の高強度プレス部品の製法として、熱間プレス工法が知られている。熱間プレス工法は、高張力鋼板を約９００度の温度まで加熱し、その鋼板を相対的に低温のプレス金型にてプレス成形すると同時に急速冷却して製品に焼き入れを行うものである（下記特許文献１参照）。
【０００３】
一般的に熱間プレス工法では、熱効率向上の観点から一つの加熱炉にて複数枚の鋼板を連続的に加熱する連続加熱が行われている。
【先行技術文献】
【特許文献】
【０００４】
【特許文献１】特開２００８−２９１２８４号公報
【発明の概要】
【発明が解決しようとする課題】
【０００５】
しかし、連続加熱の場合、加熱炉内部の部品は長時間高温に曝されるため、耐熱性の低い部品はクリープ現象により変形してしまうことがある。鋼板（以下、ワークという）を加熱炉内で支持する支持体の台座がクリープ現象を起したとき、ワーク等の重力により台座が変形すると、各種問題が生ずる。例えば、搬送機により搬送された加熱前のワークを支持体上に載せる場合、台座の変形により支持体の位置が低くなっているため、支持体の高さまで搬送機上のワークを下げることができず、搬送機から支持体にワークを移し変えることができなくなる。また、加熱されたワークを支持体上から搬送機により取り出す場合も、ワークの下面に搬送機のマニピュレータを挿入することができなくなる。
【０００６】
このような問題に鑑み本発明の課題は、加熱炉内でワークを支持体により支持し、その支持体を加熱炉の壁に台座により固定する加熱装置において、台座の変形に対する強度を高めることにより、台座が加熱炉内で長時間高温に曝されても、台座がクリープ現象により変形するのを抑制することにある。
【課題を解決するための手段】
【０００７】
第１発明は、ワークを加熱するため、断熱材によって囲まれた状態で外部空間から遮蔽された閉空間を形成している加熱炉と、該加熱炉内に設けられてワークを加熱するヒータと、前記加熱炉内でワークを支持する支持体と、前記支持体を保持して前記加熱炉の壁に固定する台座とを備える加熱装置であって、前記台座は、重力方向に直交する平面内で、加熱炉の壁に対する固定位置と前記支持体を保持する位置とが互いに離間されており、その離間に伴う変形応力を受ける部位に前記台座の変形に対する強度を高める補強部材を備える。
【０００８】
第１発明において、台座は加熱炉の壁に直接固定されてもよいし、介在物を介して間接的に固定されてもよい。
【０００９】
台座は、重力方向に直交する平面内で、加熱炉の壁に対する固定位置と支持体を保持する位置とが互いに離間しているため、その離間に伴う変形応力を受ける。第１発明によれば、その応力を受ける部位に補強部材を備えるため、台座が加熱炉内で長時間高温に曝されて、変形し易い状態となっても、その変形は抑制される。
【００１０】
第２発明は、上記第１発明において、前記補強部材は、前記台座において前記支持体を保持して支持する支持面の面剛性を高める構成である。
【００１１】
第２発明によれば、補強部材により台座における支持体用支持面の面剛性を高められる。そのため、台座が加熱炉内で長時間高温に曝されて、変形し易い状態となっても変形は抑制される。
【００１２】
第３発明は、上記第２発明において、前記支持体は、前記加熱炉内で水平方向に２本並べて、且つ互いに離間して設けられた棒状体であり、前記台座は、前記２本の棒状体の各一端部又は各他端部を一つの連続した支持面で各端部をそれぞれ重力方向の下側から支持している水平方向に沿って平らな平板部と、該平板部において前記２本の棒状体に挟まれた部位を重力方向の下側で前記加熱炉の壁に固定している柱形状の柱状部とを備えて成り、前記補強部材は、前記平板部における前記柱状部を挟む両側位置で前記２本の棒状体が対向する方向に沿って連続した状態で、前記平板部から重力方向に突出した一対のリブである。
【００１３】
台座は、その平板部において柱状部を挟む両側で支持体を支持している。そのため、台座の平板部には、柱状部を中心として支持体を支持する両側部位が下方に撓む方向のモーメントが働く。第３発明によれば、補強部材としてのリブにより、特に２本の棒状体同士が対向する方向における平板部の面剛性が高められている。そのため、加熱装置が長時間に渡って使用された場合でも、上記モーメントを受けた台座の平板部がクリープ現象により変形するのを抑制することができる。
【００１４】
第４発明は、上記第３発明において、前記リブは、前記平板部において重力方向の下側に突出している。
【００１５】
リブが連続して形成された方向と２本の棒状体が延びる方向とが平板部上で交叉する関係にある。第４発明によれば、リブは平板部において重力方向の下側に突出しているため、重力方向の上側にある２本の棒状体と交叉することはない。そのため、リブ及び棒状体は、設計の自由度を高めることができる。
【００１６】
第５発明は、上記第１〜第４発明のいずれかにおいて、前記支持体は、前記加熱炉内で水平方向に２本並べて、且つ互いに離間して設けられた棒状体であり、前記台座は、前記２本の棒状体の各一端部又は各他端部を一つの連続した支持面で各端部をそれぞれ重力方向の下側から支持している水平方向に沿って平らな平板部と、該平板部において前記２本の棒状体に挟まれた部位を重力方向の下側で前記加熱炉の壁に固定している柱形状の柱状部とを備えて成り、前記台座の平板部上で、前記２本の棒状体の各端部を支持する位置と、前記柱状部の位置とは、前記２本の棒状体の長手方向で互いに離間して配置されており、前記各平板部における前記２本の棒状体の各端部に対応する位置で重力方向の下側に前記加熱炉の壁に当接した支柱が設けられている。
【００１７】
第５発明において、支柱は加熱炉の壁に直接当接してもよいし、介在物を介して間接的に当接してもよい。
【００１８】
第５発明によれば、平板部上で、２本の棒状体の各端部を支持する位置と、柱状部の位置とは、２本の棒状体の長手方向で互いに離間して配置されている。そのため、平板部には、柱状部を支点として２本の棒状体の各端部を支持する側の部位が下方に撓む方向のモーメントが働く。しかし、各平板部における２本の棒状体の各端部に対応する位置が支柱を介して加熱炉の壁に当接している。そのため、加熱装置が長時間に渡って使用された場合でも、上記モーメントを受けた台座の平板部がクリープ現象により変形するのを抑制することができる。
【００１９】
第６発明は、上記第５発明において、前記支柱は、前記台座よりも耐熱性の高い材料にて形成されている。
【００２０】
第６発明によれば、台座の平板部が変形するのを抑制する機能を持った支柱が加熱炉内で長時間高温に曝されてもその機能を維持することができる。
【図面の簡単な説明】
【００２１】
【図１】本発明の一実施形態である多段加熱炉を持った加熱装置の側面断面図である。
【図２】上記実施形態の平面断面図である。
【図３】上記実施形態におけるワークの支持体及びヒータの拡大正面図である。
【図４】上記実施形態の投入側及び抽出側における台座部分の拡大側面図である。
【図５】上記台座部分の拡大正面図である。
【図６】上記実施形態における台座の単品側面図である。
【図７】上記実施形態における台座の単品斜視図である。
【発明を実施するための形態】
【００２２】
各図は、本発明の一実施形態を示す。この実施形態は、熱間プレス工法にて使用される加熱炉を持った加熱装置に本発明を適用した例を示す。各図中、矢印により加熱装置を基盤上に設置した状態における各方向を示している。以下の説明において、方向に関する記述は、この方向を基準として行うものとする。なお、説明の都合上、方向を示す際の「投入側」を「前」、「抽出側」を「後」ともいう。
【００２３】
図１、２に示すように、加熱炉１０は、上部フレーム１１と下部フレーム１２との間に、単段ユニットが複数段積み重ねられて一体化されて構成されている。加熱炉１０は、ワークＷを上下方向に単段ユニットの段数と同数、また、前後方向に２枚収納して同時に加熱可能とされている。上下方向に収納するワークＷの枚数によって単段ユニットの積み重ね段数が決定され、前後方向に収納するワークＷの枚数及び大きさによって加熱炉１０の前後、左右方向の大きさが決定される。下部フレーム１２の下部には支持フレーム１０ａが設けられ、支持フレーム１０ａによって加熱炉１０が基盤上に支持されている。
【００２４】
各単段ユニットは、投入側プレート１３ａ、抽出側プレート１３ｂ、左側面フレーム１４ａ及び右側面フレーム１４ｂを井桁状に組み合わせてなり、投入側プレート１３ａと抽出側プレート１３ｂとの間には、複数枚のヒータ受けプレート１５が前後方向に並べられた状態で介挿されている。図２では、ヒータ受けプレート１５はワークＷを支持する支持体３０の真下に位置して隠れている。
【００２５】
図３に示すように、各ヒータ受けプレート１５の上には、各ヒータ受けプレート１５に跨って板状のヒータ２０が載せられている。このとき、ヒータ受けプレート１５とヒータ２０との当接部は電気的に絶縁されている。ヒータ２０は、電気コイル式ヒータ、ラジアントチューブなどであり、その電気接続が左側面フレーム１４ａ及び右側面フレーム１４ｂを介して行われている。
【００２６】
図３、４に示すように、各ヒータ受けプレート１５の更に上方には、ワークＷを支持するため、耐熱金属製（例えば、ＳＵＳ３１０Ｓ）の棒状体である支持体３０が複数本左右方向に並べて前後方向に沿って設けられている。
【００２７】
各支持体３０は、四角筒体であり、各ヒータ受けプレート１５と同様に、投入側プレート１３ａと抽出側プレート１３ｂとの間に介挿されている。具体的には、図４に示すように、各支持体３０の端部は、台座４０を介して投入側プレート１３ａ及び抽出側プレート１３ｂに固定されている。
【００２８】
図６、７は、台座４０を示す。台座４０は平板部４１を備え、平板部４１は、水平方向に沿って平らに形成され、２本の支持体３０の各一端部を一つの連続した支持面で重力方向の下側から支持している。そのため、平板部４１上には、支持体３０の各一端部を保持するための支持体保持部４２が２個設けられている。ここでは、２本の支持体３０の各一端部を保持する台座４０について説明したが、２本の支持体３０の各他端部を保持する台座についても全く同様の構成であり、詳しい説明は省略する。このように、２本の支持体３０が１セットとされて、２本の支持体３０の各両端部が１個ずつの台座４０によって保持されている。
【００２９】
図４、５に示すように、平板部４１には柱状部４３が一体に備えられており、柱状部４３は、平板部４１における２個の支持体保持部４２に挟まれた部位を重力方向の下側で、先端部プレート１６上に固定している。先端部プレート１６は、投入側プレート１３ａの壁面に固定されている。従って、台座４０は、加熱炉１０の壁（投入側プレート１３ａ）に固定されていることになる。支持体３０の他端部も同様の構造で、台座４０を介して抽出側プレート１３ｂに固定されている。
【００３０】
平板部４１の重力方向の下側には、一対のリブ４４（本発明の補強部材に相当）が一体に形成されている。これらのリブ４４は、柱状部４３を挟む両側位置に、２個の支持体保持部４２が対向する方向に沿って連続した状態で形成されている。平板部４１にリブ４４が設けられることによって、平板部４１は、その面剛性を高められている。その結果、２個の支持体保持部４２が２本の支持体３０の重量を受けて、柱状部４３を中心として平板部４１の左右両側が下方に撓まされる変形応力（モーメント）に対して平板部４１の強度を高められている。そのため、加熱装置が長時間に渡って使用された場合でも、上記モーメントを受けた台座４０の平板部４１がクリープ現象により変形するのを抑制することができる。
【００３１】
ここでは、リブ４４を平板部４１の下側に形成したが、リブ４４は平板部４１の上側に形成することもできる。但し、リブ４４を平板部４１の上側に形成すると、平板部４１の上側には、２個の支持体保持部４２が設けられているため、リブ４４と２個の支持体保持部４２とが互いに干渉し合わないように設計上の考慮が必要となる。それに対し、リブ４４を平板部４１の下側に形成した場合は、そういう考慮を必要とせず、リブ４４及び２個の支持体保持部４２の設計の自由度を高められるメリットがある。
【００３２】
平板部４１の重力方向の下側で、２個の支持体保持部４２に対応する位置には、それぞれ金属よりも耐熱性の高いセラミックス製の円柱形状の支柱４５が設けられている。支柱４５は、平板部４１の下側に一体化して形成された支持パイプ４６に嵌合して固定されている。一方、支柱４５の下端は、ヒータ受けプレート１５の上端に載せられて支持されている。上述のように、平板部４１が柱状部４３を中心として２個の支持体保持部４２に対応する両側が下方に撓む力に対してはリブ４４によって補強されている。しかし、平板部４１の２個の支持体保持部４２に対応する位置は、支持体３０が延びる方向（支持体３０の長手方向）においても柱状部４３に対して離間しているため、平板部４１は、柱状部４３を支点として２個の支持体保持部４２に対応する側が下方に撓む力を受ける。その力に対して、２個の支持体保持部４２に対応する位置は、支柱４５を介してヒータ受けプレート１５に支持されているため、平板部４１が高温に曝された結果、クリープ現象により変形し易い状態となってもその変形を抑制することができる。なお、平板部４１の２個の支持体保持部４２に対応する位置は、ヒータ受けプレート１５に支持されているが、ヒータ受けプレート１５は、上述のように投入側プレート１３ａ又は抽出側プレート１３ｂの壁面に固定されているので、平板部４１の２個の支持体保持部４２に対応する位置は、加熱炉１０の壁に当接していることになる。
【００３３】
図１にてハッチングを施して示されるように、各単段ユニットの周り、上部フレーム１１の下面及び下部フレーム１２の上面には、断熱材が設けられている。そのため、加熱炉１０内は断熱材によって囲まれた状態で外部空間から遮蔽された一つの閉空間とされている。
【００３４】
図１、２に示すように、単段ユニット間及び上部フレーム１１と単段ユニットとの間、並びに下部フレーム１２と単段ユニットとの間には、加熱炉１０を外部空間に対して開閉するためのシャッタ１８が各単段ユニットに対応して投入側と抽出側にそれぞれ設けられている。具体的には、シャッタ１８は、各単段ユニットにおける左側面フレーム１４ａ及び右側面フレーム１４ｂの上側及び下側に開閉可能にそれぞれ設けられている。また、シャッタ１８の内壁側にも断熱材１０ｂが設けられている。
【００３５】
以上の加熱装置が熱間プレス工法にて使用される場合、ヒータ２０が発熱するように通電された状態で、ワーク投入側のシャッタ１８が一つずつ順次開けられてワークＷが各単段ユニットの支持体３０上に図２、３に示すように置かれ、その後シャッタ１８が閉じられる。支持体３０上のワークＷがヒータ２０によって所定の約９００度まで加熱されると、ワーク抽出側のシャッタ１８が一つずつ順次開けられてワークＷが各単段ユニットの支持体３０上から抽出される。抽出されたワークＷは、次工程にてプレス成形されると同時に焼き入れされる。
【００３６】
以上、特定の実施形態について説明したが、本発明は、それらの外観、構成に限定されず、本発明の要旨を変更しない範囲で種々の変更、追加、削除が可能である。
【００３７】
例えば、上記実施形態では、台座４０の平板部４１にリブ４４を設けると共に、支柱４５を設けたが、リブ４４か支柱４５のいずれか一方を設ける構成としてもよい。
【００３８】
上記実施形態では、台座４０の平板部４１に一対のリブ４４を設けたが、リブ４４は１つのみでもよいし、３つ以上としてもよい。また、上記実施形態では、リブ４４を一方向に沿ってのみ設けたが、互いに交叉する２方向、若しくは３方向に設けてもよい。
【００３９】
上記実施形態では、１つの台座４０で２本の支持体３０を保持する構成としたが、１つの台座４０で１本の支持体３０を保持する構成としてもよい。
【符号の説明】
【００４０】
１０    加熱炉
１０ａ  支持フレーム
１０ｂ  断熱材
１１    上部フレーム
１２    下部フレーム
１３ａ  投入側プレート（加熱炉の壁）
１３ｂ  抽出側プレート（加熱炉の壁）
１４ａ  左側面フレーム
１４ｂ  右側面フレーム
１５    ヒータ受けプレート
１６    先端部プレート
１８    シャッタ
２０    ヒータ
３０    支持体（棒状体）
４０    台座
４１    平板部
４２    支持体保持部
４３    柱状部
４４    リブ（補強部材）
４５    支柱
４６    支持パイプ
【図１】
0006491072.tif 000002
【図２】
0006491072.tif 000003
【図３】
0006491072.tif 000004
【図４】
0006491072.tif 000005
【図５】
0006491072.tif 000006
【図６】
0006491072.tif 000007
【図７】
0006491072.tif 000008